(57)【特許請求の範囲】
【請求項１】
画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と前記測色色空間上の座標値との対応を表わす出力プロファイルとの結合からなる色変換定義を補正する色変換定義補正方法において、
前記測色色空間における前記ターゲットデバイスの色再現域内の座標値のうち該測色色空間における前記出力デバイスの色再現域を外れた座標値が該出力デバイスの色再現域内に収まるような修正を前記ターゲットプロファイルに施すターゲットプロファイル修正過程と、
複数のカラーパッチが配列されたカラーチャートを表わす第１のチャートデータに基づいて前記ターゲットデバイスによって出力されたカラーチャートのカラーパッチを測色することにより、前記測色色空間上の座標値で定義された第１測色データを得る第１測色過程と、
前記第１のチャートデータが前記色変換定義に基づいて変換されてなる第２のチャートデータに基づいて前記出力デバイスによって出力されたカラーチャートのカラーパッチを測色することにより、前記測色色空間上の座標値で定義された第２測色データを得る第２測色過程と、
前記第１測色過程で得られた第１測色データに対し、前記ターゲットプロファイル修正過程における修正と同等な修正を施す測色データ修正過程と、
前記測色データ修正過程で修正された第１測色データと前記第２測色過程で得られた第２測色データとの差を打ち消すように、前記ターゲットプロファイル修正過程でターゲットプロファイルが修正された色変換定義を更に補正する定義補正過程とを有することを特徴とする色変換定義補正方法。
【請求項２】
前記ターゲットデバイス色空間が、シアン、マゼンタ、イエロー、およびブラックを座標軸とし、これらシアン、マゼンタ、イエロー、およびブラックの４色の網点面積率を表わす色空間であり、
前記ターゲットプロファイル修正過程が、
前記ターゲットデバイス色空間におけるブラックの網点面積率が固定されてなる、シアン、マゼンタ、イエローを変数とする立方体状の色空間における８頂点それぞれからその色空間の中心方向へと順次に座標点を選択し、選択した座標点が表す座標値に対して前記ターゲットプロファイルが対応付けている測色空間上の座標値が前記出力デバイスの色再現域を外れているか否かを確かめる確認過程と、
前記確認過程で、前記出力デバイスの色再現域を外れていることが確かめられた座標値をその色再現域内に修正する修正量を算出する第１の修正量算出過程と、
前記シアン、マゼンタ、イエローを変数とする立方体状の色空間における６側面のいずれかに対して平行で、かつ、前記第１の修正量算出過程で選択された座標点を頂点とする正方形内の各座標点における修正量を、前記第１の修正量算出過程で算出された修正量に基づいて算出する第２の修正量算出過程と、
前記第１の修正量算出過程および前記第２の修正量算出過程で算出された修正量に基づいて前記ターゲットプロファイルを修正する修正過程とを有するものであることを特徴とする請求項１記載の色変換定義補正方法。
【請求項３】
画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と前記測色色空間上の座標値との対応を表わす出力プロファイルとの結合からなる色変換定義を補正する色変換定義補正装置において、
前記測色色空間における前記ターゲットデバイスの色再現域内の座標値のうち該測色色空間における前記出力デバイスの色再現域を外れた座標値が該出力デバイスの色再現域内に収まるような修正を前記ターゲットプロファイルに施すターゲットプロファイル修正部と、
複数のカラーパッチが配列されたカラーチャートを表わす第１のチャートデータに基づいて前記ターゲットデバイスによって出力されたカラーチャートのカラーパッチを測色することにより得られた、測色色空間上の座標値で定義された第１測色データを取得する第１測色データ取得部と、
前記第１のチャートデータが前記色変換定義に基づいて変換されてなる第２のチャートデータに基づいて前記出力デバイスによって出力されたカラーチャートのカラーパッチを測色することにより得られた、測色色空間上の座標値で定義された第２測色データを取得する第２測色データ取得部と、
前記第１測色データ取得で取得された第１測色データに対し、前記ターゲットプロファイル修正部における修正と同等な修正を施す測色データ修正部と、
前記測色データ修正部で修正された第１測色データと前記第２測色データ取得部で取得された第２測色データとの差を打ち消すように、前記ターゲットプロファイル修正部でターゲットプロファイルが修正された色変換定義を更に補正する定義補正部とを有することを特徴とする色変換定義補正装置。
【請求項４】
コンピュータに組み込まれ、該コンピュータで、画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と前記測色色空間上の座標値との対応を表わす出力プロファイルとの結合からなる色変換定義を補正する色変換定義補正プログラムにおいて、
前記測色色空間における前記ターゲットデバイスの色再現域内の座標値のうち該測色色空間における前記出力デバイスの色再現域を外れた座標値が該出力デバイスの色再現域内に収まるような修正を前記ターゲットプロファイルに施すターゲットプロファイル修正過程と、
複数のカラーパッチが配列されたカラーチャートを表わす第１のチャートデータに基づいて前記ターゲットデバイスによって出力されたカラーチャートのカラーパッチを測色することにより、前記測色色空間上の座標値で定義された第１測色データを得る第１測色過程と、
前記第１のチャートデータが前記色変換定義に基づいて変換されてなる第２のチャートデータに基づいて前記出力デバイスによって出力されたカラーチャートのカラーパッチを測色することにより、前記測色色空間上の座標値で定義された第２測色データを得る第２測色過程と、
前記第１測色過程で得られた第１測色データに対し、前記ターゲットプロファイル修正過程における修正と同等な修正を施す測色データ修正過程と、
前記測色データ修正過程で修正された第１測色データと前記第２測色過程で得られた第２測色データとの差を打ち消すように、前記ターゲットプロファイル修正過程でターゲットプロファイルが修正された色変換定義を更に補正する定義補正過程とを有する色変換定義補正方法を前記コンピュータに行わせることを特徴とする色変換定義補正プログラム。
【発明の詳細な説明】
【０００１】
【発明の属する技術分野】
本発明は、画像データに基づく画像を出力するターゲットデバイスのプロファイルと、画像データに基づく画像を出力する出力デバイスのプロファイルとの結合からなる色変換定義を用いターゲットデバイス用の画像データを出力デバイス用の画像データに変換してその変換後の画像データに基づく画像を出力するときの、その色変換定義を補正する色変換定義補正方法、色変換定義補正装置、および色変換定義補正プログラムに関する。
【０００２】
【従来の技術】
従来より、印刷機を用いたカラー画像の印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとの結合からなる色変換定義を作成し、この色変換定義に基づいて印刷用の画像データをプリンタ用の画像データに変換し、この変換されたプリンタ用の画像データに基づいてプルーフ画像を作成する。こうすることにより、実際の印刷物と色の一致したプルーフ画像を作成することができる。
【０００３】
上記のようにして色を一致させた画像を得るためには、印刷機やプリンタ等の出力デバイスの色再現特性（プロファイル）を正確に求める必要がある。この色再現特性（プロファイル）を求めるに当たっては、カラーパッチが配列されたカラーチャートに相当する画像データを作成し、その画像データに基づいて出力デバイスでカラーチャートを出力し、そのカラーチャートを分光測色計などで測色し、そのようにして得た測色色空間の座標と、その画像データが表現される色空間（デバイス色空間）の座標とを対応づけることにより、その出力デバイスのプロファイルが求められる（例えば特許文献１参照）。
【０００４】
【特許文献１】
特開２００１−４５３１３号公報
【０００５】
【発明が解決しようとする課題】
ところが、そのようにして印刷機やプリンタ等の出力デバイスの色再現特性（プロファイル）を慎重に求め、それらの色再現特性（プロファイル）の結合からなる色変換定義に基づいて画像データを変換しても、さまざまな誤差や変動要因により、印刷物とプルーフ画像との間の色が微妙に食い違うという現象が生じる。
【０００６】
このように微妙に色が食い違っている場合に、それらのプロファイルや色変換定義を修正して色を正しく一致させるということが概念的には考えられるが、プロファイルや色変換定義のどこをどのように修正すればよいか不明な場合もあり、どこをどのように修正すればよいかわかっていたとしてもそれを手作業で修正していくのは極めて大変である。
【０００７】
このような問題は、印刷分野に限らず、異なる出力デバイス間で画像の色を一致させるシステムにおいて一般的に生じるものである。
【０００８】
本発明は、上記事情に鑑み、印刷機等のターゲットデバイスで出力される画像を表わす画像データをプリンタ等の出力デバイス用の画像データに変換して出力デバイスで画像を出力するときの上記色変換定義を容易にかつ正確に補正することのできる色変換定義補正方法、色変換定義補正装置、および色変換定義補正プログラムを提供することを目的とする。
【０００９】
【課題を解決するための手段】
上記目的を達成する本発明の色変換定義補正方法は、画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と上記測色色空間上の座標値との対応を表わす出力プロファイルとの結合からなる色変換定義を補正する色変換定義補正方法において、
上記測色色空間における上記ターゲットデバイスの色再現域内の座標値のうちその測色色空間における上記出力デバイスの色再現域を外れた座標値がその出力デバイスの色再現域内に収まるような修正を上記ターゲットプロファイルに施すターゲットプロファイル修正過程と、
複数のカラーパッチが配列されたカラーチャートを表わす第１のチャートデータに基づいて上記ターゲットデバイスによって出力されたカラーチャートのカラーパッチを測色することにより、上記測色色空間上の座標値で定義された第１測色データを得る第１測色過程と、
上記第１のチャートデータが上記色変換定義に基づいて変換されてなる第２のチャートデータに基づいて上記出力デバイスによって出力されたカラーチャートのカラーパッチを測色することにより、上記測色色空間上の座標値で定義された第２測色データを得る第２測色過程と、
第１測色過程で得られた第１測色データに対し、ターゲットプロファイル修正過程における修正と同等な修正を施す測色データ修正過程と、
測色データ修正過程で修正された第１測色データと第２測色過程で得られた第２測色データとに基づいて、ターゲットプロファイル修正過程でターゲットプロファイルが修正された色変換定義を更に補正する定義補正過程とを有することを特徴とする。
【００１０】
ここで、測色データ修正過程における「同等な修正」とは、完全に同一な修正である必要はなく、例えば実質的に不要な微少修正量を無視したものなどといった、実質的に同一な修正でよいことを意味している。
【００１１】
また、出力デバイスは、ターゲットデバイスにおける画像の色を再現するためのものであれば、印刷分野におけるプルーフ画像を作成するために特化したプルーファであってもよく、印刷物を受注生産するためのオンデマインドプリンタであってもよく、あるいは印刷分野以外の一般的なカラープリンタなどであってもよい。
【００１２】
ターゲットデバイスで出力された画像の色と、出力デバイスで出力された画像の色とが微妙に食い違うという現象が生じる場合に、複数のカラーパッチからなる同一のカラーチャートをターゲットデバイスと出力デバイスの双方で出力させ、出力された各カラーチャートのカラーパッチを測色計で測色して各測色値を得、それらの測色値の差を打ち消すように色変換定義を補正する方法が考えられる。
【００１３】
ところが、ターゲットデバイスの色再現域に、出力デバイスの色再現域をはみ出す部分が存在する場合には、その部分の色について、出力デバイスで一致した色を再現することが原理的に不可能である。このため、そのような部分における測色値の差を打ち消すように色変換定義を補正しても、実際には色再現性は向上せず、かえって色再現が悪くなるということも予想される。これに対処する方法として、色再現域の十分内側の色を有するカラーパッチのみからなるカラーチャートを用いるという方法が考えられる。
【００１４】
しかし、色再現域の境界付近には、１次色や２次色の純色といったような、印刷などで重要視される色が存在するため、この境界付近も含めて不具合なく色変換定義を補正する方法が望まれる。
【００１５】
そこで、本発明の色再現特性補正方法では、色変換定義を補正する前に、ターゲットプロファイル修正過程で、その色変換定義を構成するターゲットプロファイルに修正を施すとともに、測色データ修正過程で第１の測色データに、その修正と同等な修正を施す。この結果、カラーチャートに色再現域の境界付近の色のカラーパッチが含まれている場合であっても、色変換定義を容易かつ正確かつ不具合なく補正することができる。
【００１６】
なお、上記ターゲットプロファイル修正過程は、出力デバイスの色再現域外の座標値に対する修正のみを行うものに限定されず、出力デバイスの色再現域外の座標値に対する修正による不連続性を回避することなどを目的として、出力デバイスの色再現域内の座標値に対する修正をも行うものであってもよいことは当然である。
【００１７】
ここで、本発明の色変換定義補正方法において、上記ターゲットデバイス色空間が、シアン、マゼンタ、イエロー、およびブラックを座標軸とし、これらシアン、マゼンタ、イエロー、およびブラックの４色の網点面積率を表わす色空間であり、
上記ターゲットプロファイル修正過程が、
ターゲットデバイス色空間におけるブラックの網点面積率が固定されてなる、シアン、マゼンタ、イエローを変数とする立方体状の色空間における８頂点それぞれからその色空間の中心方向へと順次に座標点を選択し、選択した座標点が表す座標値に対してターゲットプロファイルが対応付けている測色空間上の座標値が出力デバイスの色再現域を外れているか否かを確かめる確認過程と、
確認過程で、出力デバイスの色再現域を外れていることが確かめられた座標値について、その座標値をその色再現域内に修正する修正量を算出する第１の修正量算出過程と、
上記シアン、マゼンタ、イエローを変数とする立方体状の色空間における６側面のいずれかに対して平行で、かつ、第１の修正量算出過程で選択された座標点を頂点とする正方形内の各座標点における修正量を、第１の修正量算出過程で算出された修正量に基づいて算出する第２の修正量算出過程と、
第１の修正量算出過程および第２の修正量算出過程で算出された修正量に基づいてターゲットプロファイルを修正する修正過程とを有するものであることが好適である。
【００１８】
ターゲットプロファイルの修正方法としては、ターゲットデバイス色空間上の座標点が出力デバイスの色再現域を外れているか否かを、そのターゲットデバイス色空間の全体に亘って一点一点確認し、確認した結果に応じて修正する方法が考えられるが、このような方法では、確認に多くの手間を必要とする。
【００１９】
そこで、ターゲットデバイス色空間が、シアン、マゼンタ、イエローを変数とする立法体の集まりとして観念されることに着目し、その立方体の８頂点から中心方向へと座標点をサーチすることにより、少ない手間で確認することができる。
【００２０】
上記目的を達成する本発明の色変換定義補正装置は、画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と上記測色色空間上の座標値との対応を表わす出力プロファイルとの結合からなる色変換定義を補正する色変換定義補正装置において、
上記測色色空間における上記ターゲットデバイスの色再現域内の座標値のうちその測色色空間における上記出力デバイスの色再現域を外れた座標値がその出力デバイスの色再現域内に収まるような修正を上記ターゲットプロファイルに施すターゲットプロファイル修正部と、
複数のカラーパッチが配列されたカラーチャートを表わす第１のチャートデータに基づいて上記ターゲットデバイスによって出力されたカラーチャートのカラーパッチを測色することにより得られた、測色色空間上の座標値で定義された第１測色データを取得する第１測色データ取得部と、
上記第１のチャートデータが上記色変換定義に基づいて変換されてなる第２のチャートデータに基づいて上記出力デバイスによって出力されたカラーチャートのカラーパッチを測色することにより得られた、測色色空間上の座標値で定義された第２測色データを取得する第２測色データ取得部と、
第１測色データ取得部で得られた第１測色データに対し、ターゲットプロファイル修正部における修正と同等な修正を施す測色データ修正部と、
測色データ修正部で修正された第１測色データと第２測色データ取得部で取得された第２測色データとに基づいて、ターゲットプロファイル修正部でターゲットプロファイルが修正された色変換定義を更に補正する定義補正部とを有することを特徴とする。
【００２１】
また、上記目的を達成する本発明の色変換定義補正プログラムは、画像データに基づく画像を出力するターゲットデバイスに依存したターゲット色空間上の座標値とデバイス非依存の測色色空間上の座標値との対応を表わすターゲットプロファイルと、画像データに基づく画像を出力する出力デバイスに依存した出力デバイス色空間上の座標値と上記測色色空間上の座標値との対応を表わす出力プロファイルとの結合からなる色変換定義を補正する色変換定義補正プログラムにおいて、
上記測色色空間における上記ターゲットデバイスの色再現域内の座標値のうちその測色色空間における上記出力デバイスの色再現域を外れた座標値がその出力デバイスの色再現域内に収まるような修正を上記ターゲットプロファイルに施すターゲットプロファイル修正部と、
複数のカラーパッチが配列されたカラーチャートを表わす第１のチャートデータに基づいて上記ターゲットデバイスによって出力されたカラーチャートのカラーパッチを測色することにより得られた、測色色空間上の座標値で定義された第１測色データを取得する第１測色データ取得部と、
上記第１のチャートデータが上記色変換定義に基づいて変換されてなる第２のチャートデータに基づいて上記出力デバイスによって出力されたカラーチャートのカラーパッチを測色することにより得られた、測色色空間上の座標値で定義された第２測色データを取得する第２測色データ取得部と、
第１測色データ取得部で得られた第１測色データに対し、ターゲットプロファイル修正部における修正と同等な修正を施す測色データ修正部と、
測色データ修正部で修正された第１測色データと第２測色データ取得部で取得された第２測色データとに基づいて、ターゲットプロファイル修正部でターゲットプロファイルが修正された色変換定義を更に補正する定義補正部とを有することを特徴とする。
【００２２】
【発明の実施の形態】
以下、本発明の実施形態について説明する。
【００２３】
図１は、本発明の一実施形態が適用される印刷およびプルーフ画像作成システムの全体構成図である。
【００２４】
カラースキャナ１０では、原稿画像１１が読み取られて、その読み取った原稿画像１１をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００２５】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００２６】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。フィルムプリンタ３０および印刷機４０は、本発明にいうターゲットデバイスの一例を構成しており、プリンタ６０は、本発明にいう出力デバイスの一例に相当する。
【００２７】
プルーフ画像を作成するにあたっては、ワークステーション２０上の電子集版により作成された画像データがパーソナルコンピュータ８０に入力される。ここで、このパーソナルコンピュータ８０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ８０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００２８】
このＣＭＹＫ４色の印刷用の画像データは、このパーソナルコンピュータ８０の内部で、ＬＵＴ（Ｌｏｏｋ  Ｕｐ  Ｔａｂｌｅ）の形式を持つ色変換定義が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００２９】
ここで、印刷機４０による印刷で得られた画像４１とプリンタ６０で得られたプルーフ画像の色の一致の程度は、パーソナルコンピュータ８０内の色変換定義により定まる。
【００３０】
また、この図１には印刷機は１台のみ示されているが印刷機は複数台存在していてもよく、あるいは１台の印刷機であっても異なる複数の印刷条件が存在してもよく、色変換定義は、印刷機の相異を含めた複数の印刷条件それぞれに応じて作成される。この図１に示す分光測色計７０およびパーソナルコンピュータ８０はその色変換定義の作成に関連するものである。
【００３１】
このようにしてプルーフ画像を作成してそのプルーフ画像を確認することにより、印刷の仕上りを事前に確認することができる。
【００３２】
ここで、この図１に示す印刷およびプルーフ画像作成システムにおける、本発明の一実施形態としての特徴は、パーソナルコンピュータ８０の内部で実行される処理内容に関連があり、以下、先ず、このパーソナルコンピュータ８０について説明する。
【００３３】
図２は、図１にブロックで示す分光測色計７０およびパーソナルコンピュータ８０の外観斜視図、図３は、そのパーソナルコンピュータ８０のハードウェア構成図である。また、図４はカラーチャートの模式図である。
【００３４】
この図２に示す分光測色計７０には、図４に示すような、複数のカラーパッチが配列されたカラーチャート９０が乗せられ、そのカラーチャート９０を構成する複数のカラーパッチ９１ａ，９１ｂ，…のそれぞれについて測色値（ここではＸＹＺ値とする）が測定される。この分光測色計７０での測定により得られた各カラーパッチの測色値を表わす測色データは、ケーブル９２を経由してパーソナルコンピュータ８０に入力される。
【００３５】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００３６】
このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その位置に表示された、例えばアイコン等に応じた指示を入力するマウス８４を備えている。この本体装置８１は、外観上、フロッピィ（登録商標）ディスクを装填するためのフロッピィ（登録商標）ディスク装填口８１ａ、およびＣＤ−ＲＯＭを装填するためのＣＤ−ＲＯＭ装填口８１ｂを有する。
【００３７】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フロッピィ（登録商標）ディスク１００が装填されその装填されたフロッピィ（登録商標）ディスク１００をアクセスするＦＤドライブ８１４、ＣＤ−ＲＯＭ１０１が装填され、その装填されたＣＤ−ＲＯＭ１０１をアクセスするＣＤ−ＲＯＭドライブ８１５、分光測色計７０（図１，図２参照）と接続され、分光測色計７０から測色データを受け取るＩ／Ｏインタフェース８１６が内蔵されており、これらの各種要素と、さらに図２にも示す画像表示装置８２、キーボード８３、マウス８４は、バス８５を介して相互に接続されている。
【００３８】
ここで、ＣＤ−ＲＯＭ１０１には、このパーソナルコンピュータ８０でプロファイルを作成するためのプロファイル作成プログラムが記憶されており、そのＣＤ−ＲＯＭ１０１はＣＤ−ＲＯＭドライブ８１５に装填され、そのＣＤ−ＲＯＭ１０１に記憶されたプロファイル作成プログラムがこのパーソナルコンピュータ８０にアップロードされてハードディスク装置８１３に記憶される。
【００３９】
次に、このパーソナルコンピュータ８０におけるプロファイルの作成方法について説明する。
【００４０】
ここでは、先ず印刷プロファイルの作成方法について説明する。
【００４１】
図１に示すワークステーション２０で、例えば０％，１０％，……，１００％と順次変化させたＣＭＹＫ４色の網％データを生成し、前述の印刷手順に従って、そのようにして生成した網％データに基づくカラーチャート９０（図４参照）を作成する。図１に示す画像４１は、カラーチャートを表わしている画像ではないが、この画像４１に代えて図４に示すカラーチャート９０を印刷したものとし、そのカラーチャートを構成する各カラーパッチ９１ａ，９１ｂ，…を分光測色計７０で測色する。こうすることにより、ＣＭＹＫ４色の色空間上の座標値と測色色空間上の座標値との対応関係をあらわす印刷プロファイルが構築される。
【００４２】
図５は、印刷プロファイルの概念図である。
【００４３】
この印刷プロファイルには、ＣＭＹＫ（本発明にいうターゲットデバイス色空間の一例）で定義された画像データが入力され、そのＣＭＹＫの画像データがＸＹＺ（本発明にいう測色色空間の一例）で定義された画像データに変換される。
【００４４】
次に、プリンタプロファイルの作成方法について説明する。
【００４５】
尚、ここでは、プリンタプロファイルはそのプリンタのメーカで既に作成されプリンタとともに納品されているものとし、したがってここでは、プリンタプロファイルをあらためて作成する必要はないが、以下では、そのプリンタプロファイルを新たに作成するとした場合の基本的な作成方法について説明する。
【００４６】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ８０で、各色について例えば０％，１０％，…，１００％と順次変化させた、ＣＭＹＫ４色の網％データを生成し、そのように生成した網％データをプリンタ６０に送り、プリンタ６０でその網％データに基づくカラーチャートをプリント出力する。なお、網％データは、１０％刻み以外の他の間隔刻みに順次変化するものであってもよい。但し、以下では説明の便宜上、１０％刻みの網％データが用いられるものとする。
【００４７】
図１に示す画像６１は、カラーチャートをあらわしている画像ではないが、プリンタ６０では、この画像６１に代えて、例えば、印刷プロファイルの作成のために印刷機４０での印刷により作成したカラーチャートと同一タイプのカラーチャートを出力したものとし、そのカラーチャートを構成する各カラーパッチを分光測色計７０で測色する。こうすることにより、プリンタ６０についての、ＣＭＹＫ４色の色空間（本発明にいうプルーファ色空間の一例）上の座標値と測色色空間（ＸＹＺ空間）上の座標値との対応関係をあらわすプリンタプロファイルが構築される。
【００４８】
図６は、プリンタプロファイルの概念図である。
【００４９】
このプリンタプロファイルには、ＣＭＹＫの網％データが入力され、そのＣＭＹＫの網％データがＸＹＺの測色データに変換される。ここでは、この、ＣＭＹＫの網％データをＸＹＺの測色データに変換するプリンタプロファイルをＰであらわし、その逆変換、すなわちＸＹＺの測色データをＣＭＹＫの網％データに変換するプリンタプロファイルをＰ-1であらわす。
【００５０】
尚、ここではプリンタ６０はＣＭＹＫの網％データに基づいて画像を出力するプリンタであるとして説明しているが、例えばＲＧＢのデータに基づく画像を出力するプリンタに関しても、パーソナルコンピュータ８０でＲＧＢ空間で定義されたデータを発生させて、カラーチャートを出力することにより、同様にしてそのプリンタに適合したプリンタプロファイルを作成することができる。
【００５１】
ただしここでは、ＣＭＹＫの網％データに基づいて画像を出力するプリンタ６０を使用するものとして説明する。
【００５２】
図７は、印刷プロファイルとプリンタプロファイルを結合させた結合プロファイルを示す図である。
【００５３】
印刷用のＣＭＹＫの網％データを印刷プロファイルＴによりＸＹＺの測色データに変換し、次いでそのＸＹＺの測色データをプリンタプロファイルＰ-1により再び、ただし今度はプリンタ用の、ＣＭＹＫの網％データに変換する。このようにして生成したプリンタ用のＣＭＹＫの網％データに基づいて、プリンタ６０により、印刷と同じ色のプルーフ画像を出力することができる。この印刷プロファイルＴとプリンタプロファイルＰ-1との結合からなる結合プロファイルは、印刷用のＣＭＹＫ色空間で定義された画像データをプリンタ用のＣＭＹＫ色空間で定義された画像データに変換する色変換を表す色変換定義であり、この結合プロファイルは、後述する本発明の色変換定義補正方法の一実施形態における補正対象となる。但し、その一実施形態の色変換定義補正方法では、結合プロファイルを構成する印刷プロファイルを補正することにより、実質的に結合プロファイルを補正する。
【００５４】
図１に示す印刷およびプルーフ画像作成システムでは、パーソナルコンピュータ８０が、このような色変換定義（結合プロファイル）を作成し、ワークステーション２０から入力されたＰＤＬで記述された画像データをＣＭＹＫの画像データに変換した後、そのＣＭＹＫの画像データを、その色変換定義を用いてプリンタ用のＣＭＹＫの画像データに変換し、プリンタ６０が、そのプリンタ用のＣＭＹＫの画像データに基づく画像をプリント出力することにより、印刷の画像に対するプルーフ画像が作成される。
【００５５】
上記のようにして色変換定義を作成し、その色変換定義を用いて、ワークステーションから入力された印刷用の画像データをプリンタ用の画像データに変換してそのプリンタ用の画像データに基づいてプルーフ画像を作成しても、そのプルーフ画像の色が、その印刷用の画像データに基づいて印刷物を作成したときの印刷物上の画像の色と完全には一致せず、誤差を持っている場合がある。その原因の１つとして、プリンタプロファイルは、そのプリンタのメーカ側で、基本的には上記のような手順に従って既に作成済である旨説明したが、メーカ側で作成されたプリンタプロファイルは、納品されたプリンタ自体のものではなく、メーカ側で定めたプリンタの原機を使用して作成されたものであり、そのプリンタ原機と納品されたプリンタとの間にある程度の機差が存在することを挙げることができる。ただし、プルーフ画像の色の不一致の原因は、それのみではなく、印刷プロファイルの作成の過程における様々な誤差要因やその他の様々な要因の集合にあると考えられる。
【００５６】
そこで、プルーフ画像の色の一致の度合が不満足のものである場合に、色を更に高精度に一致させるために色変換定義を補正することが考えられる。
【００５７】
ところが、印刷機の色再現域に、プリンタの色再現域をはずれる部分が存在する場合があり、この部分の色をプルーフ画像上に再現することは原理的に不可能である。
【００５８】
図８は、印刷機およびプリンタそれぞれの色再現域の一例を示す図である。
【００５９】
この図８には、Ｌ*ａ*ｂ*値で定義された測色空間（Ｌａｂ空間）が示されており、図の横軸はａ*軸およびｂ*軸、図の縦軸はＬ*軸を表している。このＬａｂ空間は測色空間の一例であって、ＸＹＺ空間からの座標変換によって得られる。
【００６０】
この図８には、Ｌａｂ空間上における印刷機の色再現域１１０が実線で示されており、プリンタの色再現域１２０が破線で示されている。なお、Ｌａｂ空間の方がＸＹＺ空間よりも色空間の感覚的な把握が容易であるので、ここではＬａｂ空間を用いて説明するが、色再現域はＸＹＺ空間上でも同様に観念される。
【００６１】
プルーフ画像を出力するためのプリンタは、色再現域１２０が印刷機の色再現域１１０になるべく近似するように設計されているが、印刷機の色再現域１１０には、プリンタの色再現域１２０をはみ出す部分１１１が存在する場合があり、この部分１１１に含まれる色は、プリンタで再現することが不可能である。また、このような部分１１１に含まれる色をプリンタで再現させるように無理に色変換定義を補正すると、色再現域１１０，１２０の境界付近における色の再現性がかえって悪化することが予想される。
【００６２】
しかし、色再現域１１０，１２０の境界付近には、１次色や２次色の純色に近い色が存在しており、このような色は印刷で重要視される色であるので、可能な限り正確に色再現されることが望まれる。
【００６３】
そこで、以下では、色再現域の境界付近での不具合を回避しつつ色変換定義を補正することができる、本発明の色変換定義補正方法の一実施形態について説明する。
【００６４】
なお、図２に示すＣＤ−ＲＯＭ１０１には、上述したパーソナルコンピュータ８０で色変換定義を補正するための色変換定義補正プログラムも記憶されており、その色変換定義補正プログラムはパーソナルコンピュータ８０にアップロードされてハードディスク装置８１３に記憶される。そして、この色変換定義補正プログラムが起動されて実行されることによりパーソナルコンピュータ８０は、後述する色変換定義補正方法で色変換定義を補正する色変換定義補正装置として動作する。
【００６５】
本実施形態の色変換定義補正方法では、先ず、図７に示す結合プロファイルを構成している印刷プロファイルＴに対して、図８に示す印刷機の色再現域１１０のうちプリンタの色再現域１２０をはみ出す部分１１１がプリンタの色再現域１２０内に収まるような修正が施される。
【００６６】
図９は、印刷プロファイルの修正を表すフローチャートである。
【００６７】
この修正では、先ず、印刷用のＣＭＹＫの網％データを記述するＣＭＹＫ色空間におけるＫ版の網％データについて、例えば０％，１０％，…，１００％と順次変化させた網％データが設定され、その設定された一連の網％データそれぞれにＫ版が固定されてなる、ＣＭＹ３色を変数とする立法体状のＣＭＹ色空間が求められる。このように求められたＣＭＹ色空間の集合はＣＭＹＫ色空間と等価である。
【００６８】
図１０は、一連の網％データそれぞれにＫ版が固定されてなる一連の色空間を表す図である。
【００６９】
この図１０には、Ｋ版の網％データが０％，１０％，…，１００％という一連の網％データそれぞれに固定されてなる立法体状のＣＭＹ色空間１３０が示されている。
【００７０】
このようなＣＭＹ色空間１３０それぞれについて、８つの頂点１３１が選択され、その選択された頂点１３１に相当するＣＭＹＫ色空間の座標値に対して印刷プロファイルが対応付けている測色値（ＸＹＺ値）について、プリンタの色再現域内に存在するか否かが確認される。その測色値がプリンタの色再現域外の測色値であると確認された場合には、対角線１３２上に存在する点のうち、頂点１３１からＣＭＹ色空間１３０の中心へと近づいた次の点が選択され、その選択された点に対応する測色値に関し、上記同様の確認が行われる。
【００７１】
このような選択と確認が、８つの頂点１３１それぞれからＣＭＹ色空間１３０の中心へと向かって順次に繰り返されて、プリンタの色再現域に到達した時点で選択と確認が終了する（図９のステップＳ１）。
【００７２】
図９に示す修正では、次に、プリンタの色再現域外であると確認された測色値のうち、上述した８頂点に対応する測色値について、プリンタの色再現域内で、その測色値との色差が最も小さい測色値が求められ（ステップＳ２）、上記ステップＳ１の確認によってプリンタの色再現域外であると確認された各測色値に対する修正量が算出される（ステップＳ３）。
【００７３】
図１１は、図８に示す色再現域の一部を拡大して示す図である。
【００７４】
この図１１には、印刷機の色再現域１１０がプリンタの色再現域１２０からはみ出している部分が拡大されて示されている。
【００７５】
この図１１には、図１０に示す頂点１３１に対応するＸＹＺ値と等価な、Ｌａｂ空間上の点１１２が示されており、この点１１２は、印刷機の色再現域１１０の境界上に存在している。また、この点１１２に続く破線上の各点は、図１０に示す対角線１３２上の各点に対応しており、点Ｆは、プリンタの色再現域１２０内に到達した点を表している。
【００７６】
更に、この図１１には、頂点１３１に対応する点１１２に最も近い、プリンタの色再現域１２０内の点Ｇも示されており、図９のステップＳ３では、点１１２−点Ｆ間の各点を点Ｇ−点Ｆ間の各点に移動させる修正量が、矢印で示すように求められる。このとき、点Ｇ−点Ｆ間の各点は、例えば、点Ｇ−点Ｆ間を等間隔に分割する位置に存在する点であってもよく、あるいは、点１１２−点Ｆ間の各点の間隔比率と同じ間隔比率で点Ｇ−点Ｆ間を分割する位置に存在する点であってもよい。このような修正量は、Ｌａｂ空間上で求める方が、ＸＹＺ空間上で求めるよりも人間の間隔に整合した修正量となる。
【００７７】
このように図９のステップＳ３で修正量が算出されると、次に、図１０に示す立方体１３０の側面上や、その側面に平行な面上に存在する各点に対応する測色値に対する修正量が算出される（図９のステップＳ４）。
【００７８】
図１２は、立方体１３０の側面に平行な面の一例を示す図である。
【００７９】
この図１２には、４つの頂点１３３を有する正方形の面１３４が示されており、これらの４つの頂点１３３はいずれも、図１０に示す対角線１３２上に存在する点である。黒丸で表されている頂点１３３は、対応する測色値に対する修正量として０でない値が求められている点であり、白丸で表されている頂点１３３は、対応する測色値に対する修正量が０である点である。また、ここに示す正方形の面１３４は、図１０に示す立方体１３０の側面に対して平行な面である。つまり、この正方形の面１３４は、図１０に示す立方体１３０の内部に入れ子状に存在する立方体の側面とも観念される。
【００８０】
このような正方形の面１３４上に存在する点１３５に対応する測色値の修正量は、４つの頂点１３３それぞれにおける修正量と、正方形の面１３４上における点１３５の位置とに基づいた補間計算によって求められる。
【００８１】
このように図９のステップＳ４で面１３４上の各点に対応する測色値の修正量が算出されると、上記ステップＳ３およびステップ４それぞれで算出された各修正量に従って、図７に示す印刷プロファイルＴが修正される（図９のステップＳ５）。ただし、上記ステップＳ３およびステップ４では、修正量がＬａｂ値で求められているので、これらの修正量がＸＹＺ値に換算された上で、印刷プロファイルＴの出力を定義したＸＹＺ値に加算されることにより、印刷プロファイルＴが修正される。
【００８２】
このように修正された印刷プロファイルＴに対し、更に、以下説明する補正が施される。なお、印刷プロファイルＴの修正に用いられた修正量は、以下説明する補正で再利用するために保存されている。
【００８３】
図１３は、印刷プロファイルＴに対する補正を表すフローチャートである。
【００８４】
この補正では補正用のカラーチャートが用いられ、その補正用のカラーチャートは、一般的には、図４に示すカラーチャート９０とは別のカラーチャートであることが望ましいが、ここでは、説明の便宜のため、図４に示すカラーチャート９０が補正用のカラーチャートとして用いられるものとして説明する。また、このように補正用のカラーチャートとして用いられるカラーチャート９０には、プリンタの色再現域の境界付近に存在する、補正時に重要視される色のカラーパッチも配置されているものとする。
【００８５】
この図１３に示す補正では、先ず、カラーチャート９０を印刷機４０で刷ってそのカラーチャート９０が印刷された印刷物を作成し（ステップＳ１１）、図２を参照して説明したように、そのカラーチャート９０を構成する複数のカラーパッチ９０ａ，９０ｂ，…それぞれについてＸＹＺ値（Ｘ１，Ｙ１，Ｚ１）を測定する（ステップＳ１３）。この測定結果は、パーソナルコンピュータ８０に取り込まれる。
【００８６】
また、カラーチャート９０を表すチャートデータを、補正の対象としている色変換定義に基づいてプリンタ用のチャートデータに変換し、プリンタ６０を用いて、そのプリント用のチャートデータが表すカラーチャートを出力し（ステップＳ１２）、印刷機４０で得られたカラーチャートと同様にして各カラーパッチのＸＹＺ値（Ｘ２，Ｙ２，Ｚ２）を測定する（ステップＳ１４）。このＸＹＺ値（Ｘ２，Ｙ２，Ｚ２）も、パーソナルコンピュータ８０に取り込まれる。
【００８７】
パーソナルコンピュータ８０内に、印刷機で得られたカラーチャートとプリンタで得られたカラーチャートに関するＸＹＺの測定データ（Ｘ１，Ｙ１，Ｚ１），（Ｘ２，Ｙ２，Ｚ２）が取り込まれると、パーソナルコンピュータ８０では、印刷機で得られたカラーチャートに関するＸＹＺの測定データ（Ｘ１，Ｙ１，Ｚ１）に対し、図９に示す修正と同等な修正が施される（ステップＳ１５）。本実施形態では、測定データ（Ｘ１，Ｙ１，Ｚ１）に対応するカラーパッチのＣＭＹＫ値がわかっているので、図９の修正で求められた修正量のうち、このＣＭＹＫ値に対応する修正量が得られ、その修正量が所定量δを越える場合には、その修正量が測定データ（Ｘ１，Ｙ１，Ｚ１）に加算される。これにより、プリンタの色再現域外に存在する測定データ（Ｘ１，Ｙ１，Ｚ１）が、プリンタの色再現域内に収まる。
【００８８】
その後、このように修正が施された後の測定データ（Ｘ１，Ｙ１，Ｚ１）と、プリンタで得られたカラーチャートに関するＸＹＺの測定データ（Ｘ２，Ｙ２，Ｚ２）とが用いられて以下の演算処理が行なわれる。
【００８９】
先ず、双方の測定データの差分が求められ、これにより、それらの間の色差が求められる（ステップＳ１６）。
【００９０】
ｄＸ＝Ｘ２−Ｘ１
ｄＹ＝Ｙ２−Ｙ１
ｄＺ＝Ｚ２−Ｚ１              ……（１）
ここで、（Ｘ１，Ｙ１，Ｚ１），（Ｘ２，Ｙ２，Ｚ２）は各カラーチャートの各カラーパッチの測色データを代表的に示したものであり、上記（１）式の演算は、印刷機で得られたカラーチャートとプリンタで得られたカラーチャートとの間での対応するカラーパッチのペアごとに行なわれる。
【００９１】
次に（１）式の演算結果に基づく補間計算により、印刷用のＣＭＹＫ色空間の、網％が０％，１０％，２０％，…，１００％の各格子点に相当する、測色色空間内の各点の色差ｄＸ，ｄＹ，ｄＺが求められる（ステップＳ１７）。
【００９２】
次に、前述したようにして既に修正済の印刷プロファイルが参照される。この印刷プロファイルには、ＣＭＹＫ色空間上の、ＣＭＹＫ各色についての網％が０％，１０％，２０％，…，１００％の各格子点の座標値（ＣＭＹＫ値）とＸＹ色空間の座標値（ＸＹＺ値）との対応関係が示されており、ここではＣＭＹＫ色空間の各格子点について、ステップＳ１７で求めた各格子点に対応する色差（ｄＸ，ｄＹ，ｄＺ）が加味される（ステップＳ１８）。
【００９３】
Ｘ＝Ｘ０−ｄＸ
Ｙ＝Ｙ０−ｄＹ
Ｚ＝Ｚ０−ｄＺ              ……（２）
ここで、（Ｘ０，Ｙ０，Ｚ０）は補正前の印刷プロファイルの、ＣＭＹＫ色空間の各格子点に対応する、ＸＹＺ色空間の各座標値を代表的に表わしたものである。
【００９４】
各格子点に関し、上記（２）の演算を行なうことにより、印刷プロファイルの全体が補正される。
【００９５】
補正前の印刷プロファイルに代わり、このようにして作成された補正印刷プロファイルを採用し、この補正印刷プロファイルと、この補正を行なうときに既に使用されたプリンタプロファイルとを組み合わせた色変換定義（結合プロファイル）を採用してカラーマッチングを行なうことにより、補正前よりも一層高精度に色が一致したプルーフ画像を得ることができる。即ち、結合プロファイルを構成する印刷プロファイルに修正と補正を施すことにより結合プロファイルの実質的な補正が行われる。
【００９６】
尚、図１３に示す補正では、プリンタプロファイルと印刷プロファイルとのうちの印刷プロファイルのみを補正したが、その理由は、プリンタプロファイルの方を補正すると、この補正には印刷機側の誤差要因に関する補正分も含まれているため、同じプリンタを別の印刷機（あるいは同じ印刷機の別の印刷条件）のプルーファとしても用いようとしたときに、その別の印刷機（あるいは同じ印刷機の別の印刷条件）の印刷プロファイルと補正されたプリンタプロファイルを結合したとき、その結合プロファイルに、プリンタプロファイルを以前補正したとき用いた印刷機の誤差の分までが含まれてしまう結果となり適当でないからである。ただし、そのプリンタをある１台の印刷機のある１つの印刷条件のみに関するプルーファとして用いるときは、印刷プロファイルの補正に代えてプリンタプロファイルの方を補正してもよい。
【００９７】
あるいは、本発明における定義補正過程や定義補正部では、印刷プロファイルとプリンタプロファイルのいずれも補正せずに、（２）式に示す演算に対応する補正用の変換定義、すなわち、ＸＹＺ色空間内で、（Ｘ０，Ｙ０，Ｚ０）を（Ｘ＝Ｘ０＋ｄＸ，Ｙ＝Ｙ０＋ｄＹ，Ｚ＝Ｚ０＋ｄＺ）に変換する補正用変換定義を作成し、カラーマッチングを行なうにあたっては、印刷プロファイルとその補正用変換定義とプリンタプロファイルとの三者を合体させた色変換定義を採用するようにしてもよい。
【００９８】
上記の何れの態様も、本発明にいう「色変換定義を補正する」態様に含まれる。
【００９９】
また、上記実施形態では、チャートデータに基づいて、印刷機とプルーファの双方でカラーチャートが出力されて測色されるが、本発明では、印刷機によって出力されるカラーチャートに対応する測色データを、図９に示す修正の前の印刷プロファイルに従って計算して得てもよい。
【０１００】
また、上記実施形態では、プリンタの色再現域外であると確認された測色値（座標）を対象とした修正を行うが、本発明では、例えばプルーファの色再現域内に所定の領域部分を設け、その領域部分を外れた座標についてはプルーファの色再現域内であっても修正の対象とすることで、修正に伴う不連続性の回避などを図ってもよい。
【０１０１】
また、上記実施形態では、印刷機による印刷画像をプリンタによるプルーフ画像で再現するシステムを例示したが、本発明にいうターゲットデバイスは、色再現の目標となる出力デバイスであれば、カラープリンタなどであってもよく、本発明にいう出力デバイスは、ターゲットデバイスの色を再現するものであれば、プルーフ画像の作成に特化されたプルーファであってもよく、印刷物を受注生産するためのオンデマインドプリンタであってもよく、あるいは、印刷分野以外の一般的なカラープリンタであってもよい。
【０１０２】
【発明の効果】
以上、説明したように、本発明によれば、色変換定義を容易かつ高精度に補正することができる。
【図面の簡単な説明】
【図１】本発明の一実施形態が適用された印刷およびプルーフ画像作成システムの全体構成図である。
【図２】図１にブロックで示す分光測色計およびパーソナルコンピュータの外観斜視図である。
【図３】パーソナルコンピュータのハードウェア構成図である。
【図４】カラーチャートの模式図である。
【図５】印刷プロファイルの概念図である。
【図６】プリンタプロファイルの概念図である。
【図７】印刷プロファイルとプリンタプロファイルを結合させた結合プロファイルを示す図である。
【図８】印刷機およびプリンタそれぞれの色再現域の一例を示す図である。
【図９】印刷プロファイルの修正を表すフローチャートである。
【図１０】一連の網％データそれぞれにＫ版が固定されてなる一連の色空間を表す図である。
【図１１】図８に示す色再現域の一部を拡大して示す図である。
【図１２】面上の点に対応する測色値に対する修正量の算出方法を説明する図である。
【図１３】図１０に示す立方体の側面に平行な面の一例を示す図である。
【符号の説明】
１０    カラースキャナ
２０    ワークステーション
３０    フィルムプリンタ
４０    印刷機
５０    パーソナルコンピュータ
６０    プリンタ
７０    分光測色計
８０    パーソナルコンピュータ
９０    カラーチャート
９１ａ，９１ｂ，…    カラーパッチ
１００    フロッピィ（登録商標）ディスク
１０１    ＣＤ−ＲＯＭ
１１０    印刷機の色再現域
１２０    プリンタの色再現域
１３０    立方体状の色空間
１３１    頂点
１３２    対角線
Ｔ    印刷プロファイル
Ｐ，Ｐ-1    プリンタプロファイル
【図１】
0004189188.tif 000002
【図２】
0004189188.tif 000003
【図３】
0004189188.tif 000004
【図４】
0004189188.tif 000005
【図５】
0004189188.tif 000006
【図６】
0004189188.tif 000007
【図７】
0004189188.tif 000008
【図８】
0004189188.tif 000009
【図９】
0004189188.tif 000010
【図１０】
0004189188.tif 000011
【図１１】
0004189188.tif 000012
【図１２】
0004189188.tif 000013
【図１３】
0004189188.tif 000014